(57)【要約】【課題】コントラスト調整を適切に行う。【解決手段】コントラスト調整信号に応じて、トランジスタＱ３，Ｑ４を差動動作させる。トランジスタＱ３についての第１差動出力の１つの点に対し、第１Ｒ用、Ｇ用およびＢ用パッドを接続し、トランジスタＱ４の第２差動出力の１つの点に対し、第２Ｒ用、Ｇ用およびＢ用パッドを接続する。【選択図】図１
2008236574.tif 000002
【特許請求の範囲】
【請求項１】
コントラスト調整信号に応じてＲＧＢ各色別の映像信号を増幅するコントラスト調整回路であって、
前記コントラスト調整信号に応じて、差動出力を得る差動アンプと、
この差動アンプに第１差動出力に対し、接続される第１Ｒ用、Ｇ用およびＢ用パッドと、
前記差動アンプに第２差動出力に対し、接続される第２Ｒ用、Ｇ用およびＢ用パッドと、
前記第１および第２Ｒ用パッドに接続されるＲ用差動アンプと、
前記第１および第２Ｇ用パッドに接続されるＧ用差動アンプと、
前記第１および第２Ｂ用パッドに接続されるＢ用差動アンプと、
含み、
前記前記第１Ｒ用、Ｇ用およびＢ用パッドは、前記差動アンプの同一のポイントから分岐したラインにそれぞれ接続され、
前記前記第２Ｒ用、Ｇ用およびＢ用パッドは、前記差動アンプの同一のポイントから分岐したラインにそれぞれ接続されることを特徴とするコントラスト調整回路。
【発明の詳細な説明】
【技術分野】
【０００１】
映像信号のコントラストを調整するコントラスト調整回路に関する。
【背景技術】
【０００２】
テレビなどでは、画面のコントラスト調整が可能になっており、ユーザの調整指示の入力に応じて、表示を変更する。
【０００３】
ここで、コントラスト調整信号は、ＲＧＢ全体の調整信号として発生され、カラー表示の場合には、ＲＧＢ各色の映像信号についてコントラスト調整信号に基づいた調整が行われる。従って、１つのコントラスト調整信号からＲＧＢそれぞれのコントラスト調整用信号を発生する必要がある。
【０００４】
【特許文献１】特開２００５−５７６２１号公報
【発明の開示】
【発明が解決しようとする課題】
【０００５】
従って、１つのコントラスト調整信号に基づいて、ＲＧＢ各色の映像信号をそれぞれ別に調整することになるが、各色のコントラスト調整にバラツキが発生するという問題があった。
【課題を解決するための手段】
【０００６】
本発明は、コントラスト調整信号に応じてＲＧＢ各色別の映像信号を増幅するコントラスト調整回路であって、前記コントラスト調整信号に応じて、差動出力を得る差動アンプと、この差動アンプに第１差動出力に対し、接続される第１Ｒ用、Ｇ用およびＢ用パッドと、前記差動アンプに第２差動出力に対し、接続される第２Ｒ用、Ｇ用およびＢ用パッドと、前記第１および第２Ｒ用パッドに接続されるＲ用差動アンプと、前記第１および第２Ｇ用パッドに接続されるＧ用差動アンプと、前記第１および第２Ｂ用パッドに接続されるＢ用差動アンプと、含み、前記前記第１Ｒ用、Ｇ用およびＢ用パッドは、前記差動アンプの同一のポイントから分岐したラインにそれぞれ接続され、前記前記第２Ｒ用、Ｇ用およびＢ用パッドは、前記差動アンプの同一のポイントから分岐したラインにそれぞれ接続されることを特徴とする。
【発明の効果】
【０００７】
ＲＧＢ各色用の信号出力パッドを１つの点に接続したためコントラスト調整用信号における各色毎のバラツキ発生を防止することができる。
【発明を実施するための最良の形態】
【０００８】
以下、本発明の実施形態について、図面に基づいて説明する。
【０００９】
図１は、コントラスト調整用信号の入力を受け、これをＲＧＢ各色用のコントラスト調整回路である、ダブル差動回路に分配する回路を示している。
【００１０】
電源には、コレクタベースが短絡された２つのＮＰＮトランジスタＱ１，Ｑ２のコレクタがそれぞれ接続されている。
【００１１】
トランジスタＱ１のエミッタには、ＮＰＮトランジスタＱ３のコレクタが接続され、このトランジスタＱ３のエミッタは、定電流源ＣＣ１を介しグランドに接続されている。また、トランジスタＱ２のエミッタには、ＮＰＮトランジスタＱ４のコレクタが接続され、このトランジスタＱ４のエミッタも、定電流源ＣＣ１を介しグランドに接続されている。
【００１２】
そして、トランジスタＱ４のベースには、定電圧源Ｂ１からの定電圧が供給され、トランジスタＱ３には、コントラスト調整信号が入力されている。通常の場合、ユーザのコントラストについての調整は、マイクロコンピュータに取り込まれ、ここからデジタルのコントラスト調整信号として出力され、これがデジタルアナログコンバータによってアナログのコントラスト調整信号として、トランジスタＱ３のベースに供給される。
【００１３】
トランジスタＱ１のエミッタは、上述のようにトランジスタＱ３のコレクタに接続されるが、このメタル配線の一点（トランジスタＱ１のエミッタに近い点）には、分岐点が設けられており、この分岐点から分岐したメタル配線は、さらに３つに分岐して３つのパッドＰ１Ｒ，Ｐ１Ｇ，Ｐ１Ｂに接続されている。また、トランジスタＱ２のエミッタに接続されているメタル配線のトランジスタＱ１のエミッタに近い点にも、分岐点が設けられており、この分岐点から分岐したメタル配線は、さらに３つに分岐して３つのパッドＰ２Ｒ，Ｐ２Ｇ，Ｐ２Ｂに接続されている。
【００１４】
そして、パッドＰ１Ｒ，Ｐ２Ｒからの配線がＲ用ダブル差動回路１０Ｒ、パッドＰ１Ｇ，Ｐ２Ｇからの配線がＧ用ダブル差動回路１０Ｇ、パッドＰ１Ｂ，Ｐ２Ｂからの配線がＢ用ダブル差動回路１０Ｂに接続されている。
【００１５】
このような回路で、定電流源ＣＣ１には、予め定められた定電流（例えば、６００μＡ）が流れる。従って、トランジスタＱ３のベースに供給されるコントラスト調整信号の電圧がトランジスタＱ４のベースに供給される定電圧と等しいときには、トランジスタＱ３，Ｑ４は同じ電流（例えば、３００μＡ）を流す。そして、コントラスト調整信号の電圧が低くなるとトランジスタＱ４の電流量が大きくなり、コントラスト調整信号の電圧が高くなるとトランジスタＱ３の電流量が大きくなり、これによってパッドＰ１Ｒ，Ｐ１Ｇ，Ｐ１Ｂと、パッドＰ２Ｒ，Ｐ２Ｇ，Ｐ２Ｂの状態が変化し、Ｒ用ダブル差動回路１０Ｒ、Ｇ用ダブル差動回路１０Ｇ、Ｂ用ダブル差動回路１０Ｇの動作が、コントラスト調整信号に応じて変化し、Ｒ用ダブル差動回路１０Ｒ、Ｇ用ダブル差動回路１０Ｇ、Ｂ用ダブル差動回路１０Ｇから出力されるＲＧＢそれぞれの映像信号が変化して、画面表示におけるコントラスト調整が行われる。
【００１６】
ここで、本実施形態においては、３つのパッドパッドＰ１Ｒ，Ｐ１Ｇ，Ｐ１ＢがトランジスタＱ１のエミッタ側のメタル配線の一点に接続され、またパッドＰ２Ｒ，Ｐ２Ｇ，Ｐ２ＢがトランジスタＱ２のエミッタ側のメタル配線の一点に接続されている。従って、３つのダブル差動回路１０Ｒ，１０Ｇ，１０Ｂに供給される信号は、ほぼ同等の信号にでき、これによってダブル差動回路１０Ｒ，１０Ｇ，１０Ｂからの出力映像信号におけるコントラスト調整が、入力されてくるコントラスト調整信号に応じたものになり、各色における調整のバラツキを防止することができる。
【００１７】
特に、コントラスト調整の場合、トランジスタＱ３，Ｑ４に流れる電流量が比較的大きい。このため、トランジスタＱ１、Ｑ２を結ぶメタル配線およびトランジスタＱ２，Ｑ４を結ぶメタル配線における電圧降下が無視できず、ＲＧＢ用ダブル差動回路１０Ｒ，１０Ｇ，１０Ｂへの接続点をそれぞれ別にすると、各接続点における電位差が無視することができず、各色のコントラスト調整にバラツキが発生し、画面上での所期のコントラスト調整が行えず、色合いの変化が大きくなってしまうという問題があった。本実施形態では、メタル配線の同一点から電圧を取り出し、これを分岐するという手法をとったため、このような問題が効果的に解消することができる。
【００１８】
ここで、実際の設計においては、ＲＧＢ各色のダブル差動回路１０Ｒ，１０Ｇ，１０Ｂを含む回路をそれぞれ別セルとして、設計する。すなわち、トランジスタＱ１，Ｑ２、パッドＰ１Ｒ，Ｐ１Ｇ，Ｐ１Ｂ，Ｐ２Ｒ，Ｐ２Ｇ，Ｐ２Ｂ、およびＲ用差動回路１０Ｒを１つのセルＣＯＮＴＲＡＳＴ＿Ｒ、Ｇ用差動回路１０ＧをセルＣＯＮＴＲＡＳＴ＿Ｇ、Ｂ用差動回路１０ＧをセルＣＯＮＴＲＡＳＴ＿Ｂというように、それぞれ別のセルとして設計する。そして、各セルに端子を設け、端子同士を各セル間の接続配線で接続する。なお、トランジスタＱ３，Ｑ４および定電流源ＣＣ１は、別の１つのセルとして設計する。
【００１９】
このような設計によって、セルＣＯＮＴＲＡＳＴ＿Ｒの設計において、パッドＰ１Ｒ，Ｐ１Ｇ，Ｐ１Ｂ，Ｐ２Ｒ，Ｐ２Ｇ，Ｐ２Ｂを設けておき、各パッドに対し他のセルを接続することで、メタル配線の一つの点に対し、３つの差動回路１０Ｒ，１０Ｇ，１０Ｂを同様に接続することができる。
【００２０】
なお、図２は、パッドとメタル配線の接続状態を示す図である。このように、メタル配線の一部を分岐して同一層の配線として、パッドを構成することができる。なお、メタル配線にコンタクトを設け、別層の配線としてパッドを設けてもよい。
【００２１】
図３、図４には、ダブル差動回路１０の構成が示されている。各色用の一対のパッドからの出力が図３の一対の入力○１、○２として、ダブル差動回路１０に入力される。なお、各色のダブル差動回路は同一構成であり、図３、図４には、１つの回路のみ示す。
【００２２】
第１の入力○１は、ＮＰＮトランジスタＱ１１のベースに供給される。このトランジスタＱ１１のコレクタはＰＮＰトランジスタＱ１２のコレクタに接続されている。このトランジスタＱ１２のエミッタは電源に接続され、ベースコレクタ間は短絡されるとともに、出力端Ａに接続されている。
【００２３】
トランジスタＱ１１のエミッタは、ＮＰＮトランジスタＱ１３のコレクタに接続されており、このトランジスタＱ１３には、ＮＰＮトランジスタＱ１４のエミッタも接続されている。このトランジスタＱ１４のコレクタは電源に接続され、ベースには、第２の入力○２が供給されている。
【００２４】
トランジスタＱ１３のベースには、対応色の映像信号（Ｒ，Ｇ，Ｂいずれかの輝度信号）が入力されている。トランジスタＱ１３のエミッタは定電流源ＣＣ１１を介しグランドに接続されている。
【００２５】
第１の入力○１は、ＮＰＮトランジスタＱ１５のベースにも供給されている。このトランジスタＱ１５のコレクタはＰＮＰトランジスタＱ１６のコレクタに接続されている。このトランジスタＱ１６のエミッタは電源に接続され、ベースコレクタ間は短絡されるとともに、出力端Ｂに接続されている。
【００２６】
トランジスタＱ１５のエミッタは、ＮＰＮトランジスタＱ１７のコレクタに接続されており、このトランジスタＱ１７には、ＮＰＮトランジスタＱ１８のエミッタも接続されている。このトランジスタＱ１８のコレクタは電源に接続され、ベースには、第２の入力○２が供給されている。
【００２７】
トランジスタＱ１７のベースには、定電圧源Ｂ２が入力されている。トランジスタＱ１７のエミッタは定電流源ＣＣ１２を介しグランドに接続されている。また、トランジスタＱ１３のエミッタとトランジスタＱ１７のエミッタは抵抗Ｒ１によって接続されている。
【００２８】
従って、入力されてくる映像信号に応じて、トランジスタＱ１３が動作し、トランジスタＱ１３と、Ｑ１７とから流れる電流の合計は定電流源ＣＣ１、ＣＣ２によって決定されているため、両トランジスタは差動トランジスタとして動作する。
【００２９】
一方、入力○１と、入力○２によって、トランジスタＱ１１と、Ｑ１４とが差動トランジスタとして動作するとともに、トランジスタＱ１５と、Ｑ１８が差動トランジスタとして動作する。従って、入力○１の電位が高くなる（ベース電流が大きくなる）と、出力Ａ、Ｂからの電流量が大きくなり、入力○２の電位が高くなる（ベース電流が大きくなる）と、出力Ａ，Ｂからの電流量が小さくなる。
【００３０】
また、映像信号の電圧が高いと、出力Ａからの電流量が大きくなり出力Ｂからの電流量が小さくなり、映像信号の電圧が低いと出力Ａからの電流量が小さくなり出力Ｂからの電流量が大きくなり、出力Ａ，Ｂからは、入力映像信号の差動出力が得られる。
【００３１】
図４に示すように、出力Ａは、ＰＮＰトランジスタＱ２０のベースに供給される。このトランジスタＱ２０はエミッタは抵抗を介し電源に接続され、そのコレクタは、エミッタがグランドに接続されているＮＰＮトランジスタＱ２１のコレクタに接続されている。また、トランジスタＱ２０のコレクタは、抵抗Ｒ２、定電圧源Ｂ３を介しグランドに接続されており、ＤＣ電圧が所定値に保持されているとともに出力端に接続されている。
【００３２】
出力Ｂは、ＰＮＰトランジスタＱ２２のベースに供給される。このトランジスタＱ２２はエミッタは抵抗を介し電源に接続され、そのコレクタは、エミッタがグランドに接続されているＮＰＮトランジスタＱ２３のコレクタに接続されている。また、トランジスタＱ２３のコレクタベース間は短絡されるとともに、そのベースはトランジスタＱ２１のベースに接続されている。
【００３３】
従って、トランジスタＱ２３と、トランジスタＱ２１は、カレントミラーを構成する。出力Ａ，Ｂは、上述したように、映像信号についての差動出力であり、これによってトランジスタＱ２０とＱ２２が相補的に動作し、両者の差分についての交流信号が出力端から出力されることになる。
【図面の簡単な説明】
【００３４】
【図１】実施形態の回路構成を示す図である。
【図２】パッドへの分岐の構成を示す図である。
【図３】ダブル差動回路の構成を示す図である。
【図４】ダブル差動回路の出力部の構成を示す図である。
【符号の説明】
【００３５】
１０Ｒ，１０Ｇ，１０Ｂ  ダブル差動回路、Ｂ１，Ｂ２，Ｂ３  定電圧源、ＣＣ１，ＣＣ１１，ＣＣ１２  定電流源、Ｐ１Ｒ，Ｐ１Ｇ，Ｐ１Ｂ，Ｐ２Ｒ，Ｐ２Ｇ，Ｐ２Ｂ  パッド、Ｑ１〜Ｑ４，Ｑ１１〜ｑ１８，Ｑ２０〜Ｑ２３  トランジスタ、Ｒ１，Ｒ２  抵抗。
【図１】
2008236574.tif 000003
【図２】
2008236574.tif 000004
【図３】
2008236574.tif 000005
【図４】
2008236574.tif 000006